(57)【要約】【課題】  支持棒の下降および治具交換を簡便に行えるワイヤハーネス用組立治具を得る。【解決手段】  貫通孔１０ａを有し、ワイヤハーネスの組立板を挟んで相互に結合可能に設けられた第１の台座１１および第２の台座１２からなる台座部１０と、貫通孔１０ａを貫通して台座部１０に対して軸方向に移動可能に設けられ、軸方向の所定位置に形成された溝１３ａを備えた支持棒１３と、支持棒１３の先端に固定され、布線される電線を保持する保持部１４と、組立板の表面に位置する第１の台座１１に設けられ、溝１３ａにはまり込んで支持棒１３の台座部１０に対する軸方向移動を規制する第１の位置と、係止部から離脱する第２の位置とに移動可能なストッパ１５と、を有する構成とする。【選択図】        図１
2005135697.tif 000002
【特許請求の範囲】
【請求項１】
貫通孔を有し、ワイヤハーネスの組立板を挟んで相互に結合可能に設けられた第１の台座および第２の台座からなる台座部と、
前記貫通孔を貫通して前記台座部に対して軸方向に移動可能に設けられ、軸方向の所定位置に形成された空間である係止部を備えた支持棒と、
前記支持棒の先端に固定され、布線される電線を保持する保持部と、
前記組立板の表面に位置する前記第１の台座に設けられ、前記係止部にはまり込んで前記支持棒の前記台座部に対する軸方向移動を規制する第１の位置と、前記係止部から離脱する第２の位置とに移動可能なストッパと、
を有することを特徴とするワイヤハーネス用組立治具。
【請求項２】
バネ力により前記ストッパを前記第１の位置の方向に押圧するバネ部材を有することを特徴とする請求項１記載のワイヤハーネス用組立治具。
【請求項３】
前記第１の台座は、
前記ストッパまたは前記ストッパおよび前記バネ部材を保持する本体部と、
ネジにより前記本体部に固定されて前記ストッパまたは前記ストッパおよび前記バネ部材の前記本体部からの脱落を阻止する蓋部と、
を有することを特徴とする請求項１または２記載のワイヤハーネス用組立治具。
【請求項４】
前記本体部と前記蓋部とを固定する前記ネジは、ネジ締め時における進行方向先端が尖り、且つ前記本体部から前記第２の台座側に突出していることを特徴とする請求項１〜３の何れか一項に記載のワイヤハーネス用組立治具。
【請求項５】
前記係止部は、前記支持棒における外周の少なくとも一部に形成された溝であり、
前記ストッパは、当該溝にはまり込む板状体であることを特徴とする請求項１〜４の何れか一項に記載のワイヤハーネス用組立治具。
【請求項６】
前記係止部は、前記支持棒に形成された孔であり、
前記ストッパは、当該孔に挿入される棒状体であることを特徴とする請求項１〜４の何れか一項に記載のワイヤハーネス用組立治具。
【請求項７】
前記第１の台座と前記第２の台座とはネジ結合していることを特徴とする請求項１〜６の何れか一項に記載のワイヤハーネス用組立治具。
【請求項８】
前記保持部と前記支持棒の前記係止部との間には、前記ストッパが前記第２の位置になって前記保持部と前記台座部とが相対的に接近する方向に前記支持棒が移動したときに前記第１の台座と当接するゴム部材が取り付けられていることを特徴とする請求項１〜７の何れか一項に記載のワイヤハーネス用組立治具。
【請求項９】
前記保持部は、前記支持棒に対して転倒可能に設けられていることを特徴とする請求項１〜８の何れか一項に記載のワイヤハーネス用組立治具。
【発明の詳細な説明】
【技術分野】
【０００１】
本発明は、ワイヤハーネス用組立治具に関するものである。
【背景技術】
【０００２】
自動車や船舶、自動販売機など、電装品を有する製品にはワイヤハーネスが用いられている。
【０００３】
このワイヤハーネスは、製品に設けられた電装品間の電気信号や電力等を伝送する複数の電線を各電装品に必要に応じて接続できるように布線して束ねて固定したものある。つまりワイヤハーネスは、製品側の配置経路に沿って複数に分岐した電線束であり、その端末には、電装品と嵌合する端子が挿入されたコネクタが取り付けられている。
【０００４】
このようなワイヤハーネスを組み立てる場合、前述した製品側の配置経路に沿った形状に電線の曲がりを規制しつつ作業を行うために、ワイヤハーネス用組立治具が取り付けられたワイヤハーネスの組立板が用いられる。
【０００５】
ワイヤハーネスの組立板は、ワイヤハーネスの種類別に治具取り付け孔が形成されたベニヤ板や金属板からなり、この組立板の治具取り付け孔にネジ止めなどでワイヤハーネス用組立治具が固定される。
【０００６】
ここで、従来のワイヤハーネス用組立治具として、たとえば特開２００２−１９０２２０号公報に記載のものがある。
【０００７】
このワイヤハーネス用組立治具は、ワイヤハーネスの組立板の下面側に固定されるベース部材と、このベース部材に相対的に上下移動可能に取り付けられるとともに組立板を貫通してワイヤハーネスを構成する電線を支持する支持棒と、支持棒の上端に取り付けられて電線を保持する保持部と、保持部のベース部材に対する相対的上下位置を位置決めする位置決め手段とを有する構成となっている。
【０００８】
そして、このようなワイヤハーネス用組立治具によれば、組立板の下面側に設けられたベース部材を操作すれば支持棒はそのまま組立板の下方に移動させられる。支持棒を一旦引っ張り上げてロックを解除する構造では、ワイヤハーネスの電線の組立作業において電線束も一緒に引っ張り持ち上げることになって撓みが発生し、規定の寸法が出にくくなるが、当該公報に記載の構造では電線束を持ち上げる必要がないので、高い寸法精度を確保することが可能になる。
【特許文献１】特開２００２−１９０２２０号公報
【発明の開示】
【発明が解決しようとする課題】
【０００９】
しかしながら、前述した従来のワイヤハーネス用組立治具では、ベース部材が組立板の下面側に設けられていることから、支持棒を下降させるためには、組立板の下面側に手を伸ばして手探りでベース部材を操作し、あるいは組立板の下面側に潜り込んでベース部材を操作し、支持棒のロックを解除しなければならない。
【００１０】
ワイヤハーネス用組立治具は組立板に多数取り付けられることから、前述した構成では、全ての支持棒を下降させるには多大な労力と時間とがかかり、作業性が悪化してしまう。
【００１１】
また、支持棒とベース部材とがかみ合っていることから、ワイヤハーネス用組立治具の交換にはこのかみ合いを解除しなければならず、治具の交換作業が繁雑になる。
【００１２】
そこで、本発明は、支持棒の下降を簡便に行うことのできるワイヤハーネス用組立治具を提供することを目的とする。
【００１３】
また、本発明は、治具交換を簡便に行うことのできるワイヤハーネス用組立治具を提供することを目的とする。
【課題を解決するための手段】
【００１４】
上記課題を解決するため、本発明に係るワイヤハーネス用組立治具は、貫通孔を有し、ワイヤハーネスの組立板を挟んで相互に結合可能に設けられた第１の台座および第２の台座からなる台座部と、前記貫通孔を貫通して前記台座部に対して軸方向に移動可能に設けられ、軸方向の所定位置に形成された空間である係止部を備えた支持棒と、前記支持棒の先端に固定され、布線される電線を保持する保持部と、前記組立板の表面に位置する前記第１の台座に設けられ、前記係止部にはまり込んで前記支持棒の前記台座部に対する軸方向移動を規制する第１の位置と、前記係止部から離脱する第２の位置とに移動可能なストッパと、を有することを特徴とする。
【００１５】
本発明の好ましい形態において、バネ力により前記ストッパを前記第１の位置の方向に押圧するバネ部材を有することを特徴とする。
【００１６】
本発明のさらに好ましい形態において、前記第１の台座は、前記ストッパまたは前記ストッパおよび前記バネ部材を保持する本体部と、ネジにより前記本体部に固定されて前記ストッパまたは前記ストッパおよび前記バネ部材の前記本体部からの脱落を阻止する蓋部と、を有することを特徴とする。
【００１７】
本発明のさらに好ましい形態において、前記本体部と前記蓋部とを固定する前記ネジは、ネジ締め時における進行方向先端が尖り、且つ前記本体部から前記第２の台座側に突出していることを特徴とする。
【００１８】
本発明のさらに好ましい形態において、前記係止部は、前記支持棒における外周の少なくとも一部に形成された溝であり、前記ストッパは、当該溝にはまり込む板状体であることを特徴とする。
【００１９】
本発明のさらに好ましい形態において、前記係止部は、前記支持棒に形成された孔であり、前記ストッパは、当該孔に挿入される棒状体であることを特徴とする。
【００２０】
本発明のさらに好ましい形態において、前記第１の台座と前記第２の台座とはネジ結合していることを特徴とする。
【００２１】
本発明のさらに好ましい形態において、前記保持部と前記支持棒の前記係止部との間には、前記ストッパが前記第２の位置になって前記保持部と前記台座部とが相対的に接近する方向に前記支持棒が移動したときに前記第１の台座と当接するゴム部材が取り付けられていることを特徴とする。
【００２２】
本発明のさらに好ましい形態において、前記保持部は、前記支持棒に対して転倒可能に設けられていることを特徴とする。
【発明の効果】
【００２３】
本発明によれば以下の効果を奏することができる。
【００２４】
すなわち、組立板の表面に位置する第１の台座に設けられたストッパを押してこれを第２の位置に移動させることによりストッパが係止部から離脱し、支持棒は軸方向に自由移動ができる状態になることから、支持棒を簡便に下降させることが可能になる。
【００２５】
また、組立板の表面に位置する第１の台座に設けられたストッパを押してこれを第２の位置に移動させることによりストッパが係止部から離脱し、支持棒は軸方向に自由移動ができる状態になることから、支持棒を上昇させて容易に台座部から抜き取ることができ、治具交換を簡便に行うことが可能になる。
【００２６】
本体部と蓋部とを固定するネジの先端を尖らせるとともに本体部から第２の台座側に突出させることにより、組立板を挟んで第１の台座と第２の台座とをネジ結合をする際にネジの突出した部分が徐々に組立板に食い込んで第１の台座の回転が阻止されるので、第１の台座を固定することなく単に第２の台座を回すだけで両者を締め付けることが可能になる。
【００２７】
保持部と支持棒の係止部との間にゴム部材を取り付ければ、支持棒の落下衝撃をゴム部材が緩和するので、落下音を小さくすることができるとともに落下衝撃によるダメージを最小限に食い止めることができる。
【００２８】
そして、保持部を支持棒に対して転倒可能に設ければ、支持棒を台座部から抜き取ることなく、保持部を倒すだけでテープ巻きなどの作業スペースを確保することができる。
【発明を実施するための最良の形態】
【００２９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００３０】
図１は本発明の一実施の形態であるワイヤハーネス用組立治具を示す斜視図、図２は図１のワイヤハーネス用組立治具の構成要素である台座部を示す側面図、図３は図２の台座部を構成する第１の台座の蓋部を内側から見た平面図、図４は図２の台座部を構成する第１の台座の本体部を第１の位置にあるストッパおよびバネ部材とともに示す平面図、図５は図２の台座部を構成する第１の台座の本体部を第２の位置にあるストッパおよびバネ部材とともに示す平面図、図６は図１のワイヤハーネス用組立治具が取り付けられた組立板によるワイヤハーネスの組立状態を示す斜視図、図７は本発明の他の実施の形態であるワイヤハーネス用組立治具の要部を示す斜視図である。
【００３１】
図１に示すワイヤハーネス用組立治具１は、ワイヤハーネスの組立板２（図２、図６）を挟んで相互に結合可能に設けられた第１の台座１１および第２の台座１２からなる台座部１０を備えている。図示するように、台座部１０には角形の貫通孔１０ａが形成されており、台座部１０を構成する第１の台座１１と第２の台座１２とは相互にネジ結合している。但し、ネジ結合以外の結合形態を採用してもよい。
【００３２】
貫通孔１０ａには径方向の断面が角形の支持棒１３が貫通しており、この支持棒１３は台座部１０に対して軸方向に移動可能になっている。また、支持棒１３における軸方向の所定位置には溝（係止部）１３ａが形成されており、支持棒１３の先端には、布線される電線を保持する保持部１４が固定されている。
【００３３】
なお、本実施の形態では、溝１３ａは支持棒１３における外周の一部に形成されているが、全周に形成されていてもよい。また、角形の貫通孔１０ａに貫通した支持棒１３の径方向断面形状を角形にすることにより、支持棒１３の回転が抑止されている。但し、貫通孔１０ａおよび支持棒１３の形状は円形であってもよい。さらに、保持部１４は３つに分岐した形状になっているが、２つあるいは４つに分岐した形状など、種々の形状を採用することができる。
【００３４】
組立板２の表面に位置する第１の台座１１には、溝１３ａにはまり込んで支持棒１３の台座部１０に対する軸方向移動を規制する板状体のストッパ１５が設けられている。なお、溝１３ａを複数箇所に形成して、支持棒１３の規制位置を複数設定することができるようにしてもよい。
【００３５】
図２、図３および図４に詳しく示すように、第１の台座１１は、本体部１１ａと、ネジ１６により本体部１１ａに固定された蓋部１１ｂとからなる。そして、ストッパ１５は本体部１１ａに保持されている。
【００３６】
すなわち、ストッパ１５は、本体部１１ａに形成されたガイド溝１１ａ−１と、ストッパ１５の移動方向に長く形成された長孔１５ａと係合するガイドピン１１ａ−２とに案内されて、溝１３ａにはまり込んで支持棒１３の台座部１０に対する軸方向移動を規制する第１の位置（図４）と、溝１３ａから離脱する第２の位置（図５）とに移動可能に設けられている。そして、ストッパ１５をバネ力により第１の位置の方向に押圧するバネ部材１７もまた、本体部１１ａに保持されている。なお、バネ部材１７は、必ずしも設けられていなくてもよい。
【００３７】
そして、このような本体部１１ａに蓋部１１ｂが固定されていることにより、ストッパ１５およびバネ部材１７は本体部１１ａからの脱落が阻止されている。
【００３８】
図２に示すように、本体部１１ａと蓋部１１ｂとを固定しているネジ１６は、ネジ締め時における進行方向の先端が尖っており、しかも本体部１１ａから第２の台座１２側に突出している。このような構造とすることで、ワイヤハーネスの組立板２を挟んで第１の台座１１と第２の台座１２とをネジ結合をする際に、第２の台座１２を回していくとネジ１６の突出した部分が徐々に組立板２に食い込んで第１の台座１１の回転が阻止されるので、特に第１の台座１１を固定することなく単に第２の台座１２を回すだけで両者を締め付けることができる。
【００３９】
なお、前述した保持部１４と支持棒１３の溝１３ａとの間には、ストッパ１５が第２の位置になって保持部１４と台座部１０とが相対的に接近する方向に支持棒１３が移動したとき、つまり支持棒１３が下降したときに第１の台座１１と当接するゴム部材１８が取り付けられている。これにより、支持棒１３の落下衝撃をゴム部材１８が緩和するので、落下音を小さくすることができるとともに落下衝撃によるダメージを最小限に食い止めることができる。
【００４０】
以上に説明したワイヤハーネス用組立治具１は、図６に示すように、ワイヤハーネスの組立板２に取り付けられる。そして、複数のワイヤハーネス用組立治具１が固定された組立板２を作業がしやすい角度に傾斜させて設置し、コネクタ１９やテープ（図示せず）などを用いてワイヤハーネス２０を構成する電線を布線して行く。
【００４１】
次に、本実施の形態のワイヤハーネス用組立治具１における支持棒１３の位置決めについて説明する。
【００４２】
台座部１０を組立板２に取り付けたならば、ストッパ１５を押して第２の位置に移動して支持棒１３を貫通孔１０ａに挿入する。そして、支持棒１３がストッパ１５の位置まで入り込んだならばストッパ１５を押すのをやめ、支持棒１３を下降させていく。このとき、ストッパ１５は支持棒１３の外周面に圧接されながら第２の位置となっている（図５）。そして、支持棒１３の溝１３ａがストッパ１５の位置に到達したときに、バネ部材１７のバネ力によりストッパ１５が溝１３ａにはまり込み、ストッパ１５は支持棒１３の台座部１０に対する軸方向移動を規制する第１の位置となる（図４）。ワイヤハーネスを組み立てる作業は、このストッパ１５が溝１３ａにはまり込んだ状態で行われる。
【００４３】
作業途中におけるテープ巻きや部品取り付けなどの必要性から支持棒１３を下降させて作業スペースを確保する際には、組立板２の表面に位置する第１の台座１１に設けられたストッパ１５を押してこれを第２の位置に移動させる。これにより、ストッパ１５は溝１３ａから離脱し、支持棒１３は軸方向に自由移動ができる状態になる。そこで、支持棒１３を押し下げることにより、あるいは支持棒１３が自重により、支持棒１３を簡便に下降させることができる。
【００４４】
また、治具交換を行う際には、同じくストッパ１５を押してこれを第２の位置に移動させ、今度は支持棒１３を上昇させて台座部１０から抜き取る。このとき、支持棒１３の抜き取りに障害となる要素は存在しないので、支持棒１３は極めて容易に抜き取ることができる。支持棒１３を抜き取ったならば、抜き取った支持棒１３とは異なる形状の保持部１４が固定された他の支持棒１３を先述の要領で貫通孔１０ａに挿入してストッパ１５で固定する。これにより、治具交換を簡便に行うことができる。
【００４５】
さらに、以上のような支持棒１３の下降および抜き取りがコンパクトで軽量な台座部１０の構成により実現できるので、組立板２への重量的な負担が軽減する。
【００４６】
以上の説明において、ストッパ１５がはまり込む空間である係止部として溝１３ａが示されているが、これに限定されるものではない。すなわち、たとえば支持棒に形成された孔を係止部とすることもできる。この場合には、ストッパは、当該孔に挿入される棒状体となる。なお、孔は、支持棒１３を貫通した孔であってもよく、貫通していない孔であってもよい。
【００４７】
また、図７に示すように、保持部１４は、支持棒１３に対して転倒可能に設けることができる。このようにすれば、支持棒１３を台座部１０から抜き取ることなく、保持部１４を倒すだけでテープ巻きなどの作業スペースを確保することができる。
【図面の簡単な説明】
【００４８】
【図１】本発明の一実施の形態であるワイヤハーネス用組立治具を示す斜視図である。
【図２】図１のワイヤハーネス用組立治具の構成要素である台座部を示す側面図である。
【図３】図２の台座部を構成する第１の台座の蓋部を内側から見た平面図である。
【図４】図２の台座部を構成する第１の台座の本体部を第１の位置にあるストッパおよびバネ部材とともに示す平面図である。
【図５】図２の台座部を構成する第１の台座の本体部を第２の位置にあるストッパおよびバネ部材とともに示す平面図である。
【図６】図１のワイヤハーネス用組立治具が取り付けられた組立板によるワイヤハーネスの組立状態を示す斜視図である。
【図７】本発明の他の実施の形態であるワイヤハーネス用組立治具の要部を示す斜視図である。
【符号の説明】
【００４９】
１  ワイヤハーネス用組立治具
２  組立板
１０  台座部
１０ａ  貫通孔
１１  第１の台座
１１ａ  本体部
１１ａ−１  ガイド溝
１１ａ−２  ガイドピン
１１ｂ  蓋部
１２  第２の台座
１３  支持棒
１３ａ  溝（係止部）
１４  保持部
１５  ストッパ
１５ａ  長孔
１６  ネジ
１７  バネ部材
１８  ゴム部材
１９  コネクタ
２０  ワイヤハーネス
【図１】
2005135697.tif 000003
【図２】
2005135697.tif 000004
【図３】
2005135697.tif 000005
【図４】
2005135697.tif 000006
【図５】
2005135697.tif 000007
【図６】
2005135697.tif 000008
【図７】
2005135697.tif 000009